(57)【要約】【課題】  マウス等のポインティングデバイスを備えていなくても、ページに含まれるリンク情報をユーザが容易に選択することが可能な表示装置、及び、表示プログラムを提供する。【解決手段】  リンク先が設定されている複数のリンク情報を含み、複数のエリアに区分けされるＷｅｂページ３０を表示部１２上に表示する表示制御部１７と、エリア切替信号に基づいて、ユーザが選択可能な状態にあるエリアであるアクティブエリアを切替えるためのエリア切替指示を表示制御部１７に入力するエリア切替部１４と、リンク情報切替信号に基づいて、アクティブエリア内でユーザが選択可能な状態にあるリンク情報であるアクティブリンク情報を切替えるためのリンク情報切替指示を表示制御部１７に入力するリンク切替部１５とをＷｅｂＴＶ（ＷｅｂＴＶ本体部１０）が備えることを要旨とする。【選択図】  図２
2006155343.tif 000002
【特許請求の範囲】
【請求項１】
リンク先が設定されている複数のリンク情報を含み、複数のエリアに区分けされるページを所定の表示領域上に表示する表示制御部と、
エリア切替信号に基づいて、ユーザが選択可能な状態にある前記エリアであるアクティブエリアを切替えるエリア切替部と、
リンク情報切替信号に基づいて、前記アクティブエリア内でユーザが選択可能な状態にある前記リンク情報であるアクティブリンク情報を切替えるリンク情報切替部とを備えることを特徴とする表示装置。
【請求項２】
前記表示制御部は、前記ページ内における前記リンク情報の属性に基づいて、前記ページを複数の前記エリアに区分けして表示することを特徴とする請求項１に記載の表示装置。
【請求項３】
前記表示制御部は、前記アクティブエリアを前記アクティブエリア以外の前記エリアと区別して表示することを特徴とする請求項１に記載の表示装置。
【請求項４】
前記表示制御部は、前記アクティブリンク情報を前記アクティブリンク情報以外の前記リンク情報と区別して表示することを特徴とする請求項１に記載の表示装置。
【請求項５】
前記表示制御部は、前記リンク情報を、リンク先が設定されていない一般情報と区別して表示することを特徴とする請求項１に記載の表示装置。
【請求項６】
前記ページの表示方法を設定する表示方法設定部を備えることを特徴とする請求項１に記載の表示装置。
【請求項７】
前記エリアは、第１階層エリアと、前記第１階層エリアに対応付けられる第２階層エリアとを含むことを特徴とする請求項１に記載の表示装置。
【請求項８】
リンク先が設定されている複数のリンク情報を含み、複数のエリアに区分けされるページを所定の表示領域上に表示するステップと、
エリア切替信号に基づいて、ユーザが選択可能な状態にある前記エリアであるアクティブエリアを切替えるステップと、
リンク情報切替信号に基づいて、前記アクティブエリア内でユーザが選択可能な状態にある前記リンク情報であるアクティブリンク情報を切替えるステップとをコンピュータに実行させることを特徴とする表示プログラム。
【請求項９】
前記ページ内における前記リンク情報の属性に基づいて、前記ページを複数の前記エリアに区分けするステップをコンピュータに実行させることを特徴とする請求項８に記載の表示プログラム。
【発明の詳細な説明】
【技術分野】
【０００１】
複数のリンク情報を含むページを所定の表示領域上に表示する表示装置、及び、表示プログラムに関する。
【背景技術】
【０００２】
従来、ＨＴＭＬ等のマークアップ言語に従って生成される情報（以下、ＨＴＭＬ情報）をネットワーク側から受信する受信部と、受信したＨＴＭＬ情報に基づいてＷｅｂページを表示するソフトウェアであるＷｅｂブラウザとを有する端末（例えば、パーソナルコンピュータ）が、一般に広く知られている。
【０００３】
Ｗｅｂページには、他のＷｅｂページがリンク先として設定されているリンク情報が含まれ、ユーザは、リンク情報を選択することによって、選択したリンク情報に対応する他のＷｅｂページを閲覧することが可能である。
【０００４】
また、Ｗｅｂブラウザを内蔵することによって、放送局から配信される映像コンテンツを再生する機能と、Ｗｅｂページを表示する機能とを併せ持つテレビ（以下、ＷｅｂＴＶ）も知られている。なお、一般に、ＷｅｂＴＶは、放送局を切替えるためのリモートコントローラ（以下、リモコン）を備えているが、マウス等のポインティングデバイスを備えていない。
【０００５】
従って、ユーザは、リモコンに設けられるボタン（例えば、上ボタン、下ボタン、右ボタン、左ボタン）を押下し、選択可能な状態（アクティブな状態）にあるリンク情報（例えば、反転表示されたリンク情報）を切替えることによって、目的とするリンク情報を選択可能な状態にしなければならない。
【０００６】
すなわち、従来のＷｅｂＴＶでは、選択可能な状態にあるリンク情報をユーザが一つずつ切替えなければならないため、リモコンを用いてリンク情報を選択する作業が、マウス等のポインティングデバイスを用いてリンク情報を選択する作業に比べて煩雑である。
【０００７】
これに対して、Ｗｅｂページに含まれるリンク情報と、リモコンに設けられるボタンとを対応付けることによって、目的とするリンク情報をリモコンによって容易に選択することが可能なＷｅｂＴＶも提案されている（例えば、特許文献１）。
【特許文献１】特開平１０−９８６５４（請求項１、第２３段落及び第２４段落）
【発明の開示】
【発明が解決しようとする課題】
【０００８】
ところで、ＷｅｂページがＷｅｂＴＶの表示領域よりも大きい場合には、そのＷｅｂページに含まれる全てのリンク情報がＷｅｂＴＶの表示領域に表示されない場合がある。すなわち、ＷｅｂＴＶの表示領域上でＷｅｂページをスクロールさせなければ、目的とするリンク情報が表示されない場合がある。
【０００９】
このような場合には、ユーザは、リモコンに設けられるボタンを押下することによって、ＷｅｂＴＶの表示領域上でＷｅｂページを少しずつスクロールさせ、目的とするリンク情報を探さなければならないため、更なる改善が望まれている。
【００１０】
そこで、本発明は、上述した課題を解決するためになされたものであり、マウス等のポインティングデバイスを備えていなくても、ページに含まれるリンク情報をユーザが容易に選択することが可能な表示装置、及び、表示プログラムを提供することを目的とする。
【課題を解決するための手段】
【００１１】
本発明の第１の特徴は、リンク先が設定されている複数のリンク情報を含み、複数のエリアに区分けされるページ（Ｗｅｂページ３０）を所定の表示領域（表示部１２）上に表示する表示制御部（表示制御部１７）と、エリア切替信号に基づいて、ユーザが選択可能な状態にあるエリアであるアクティブエリアを切替えるエリア切替部（エリア切替部１４）と、リンク情報切替信号に基づいて、アクティブエリア内でユーザが選択可能な状態にあるリンク情報であるアクティブリンク情報を切替えるリンク情報切替部（リンク切替部１５）とを表示装置（ＷｅｂＴＶ）が備えることを要旨とする。
【００１２】
かかる特徴によれば、エリア切替部が、エリア切替信号に基づいてアクティブエリアを切替え、リンク情報切替部が、リンク情報切替信号に基づいてアクティブリンク情報を切替えることにより、ユーザは、アクティブエリアを切替えることによって、ページをエリア毎に閲覧しながら、目的とするリンク情報を探すことができる。
【００１３】
また、ページのサイズが所定の表示領域のサイズよりも大きい場合であっても、エリア切替部がアクティブエリアを切替える際にページをスクロールさせることにより（すなわち、エリア単位でページをスクロールさせることにより）、ユーザは、ページを容易にスクロールさせることができる。
【００１４】
さらに、ユーザは、アクティブエリア内においてアクティブリンク情報を切替えることによって、目的とするリンク情報をページ全体から選択する場合に比べて、目的とするリンク情報を容易に選択することができる。
【００１５】
すなわち、ユーザは、マウス等のポインティングデバイスを用いなくても、目的とするリンク情報を容易に選択することができる。
【００１６】
本発明の第２の特徴は、本発明の第１の特徴において、表示制御部が、ページ内におけるリンク情報の属性に基づいて、ページを複数のエリアに区分けして表示することを要旨とする。
【００１７】
本発明の第３の特徴は、本発明の第１の特徴において、表示制御部が、アクティブエリアをアクティブエリア以外のエリアと区別して表示することを要旨とする。
【００１８】
本発明の第４の特徴は、本発明の第１の特徴において、表示制御部が、アクティブリンク情報をアクティブリンク情報以外のリンク情報と区別して表示することを要旨とする。
【００１９】
本発明の第５の特徴は、本発明の第１の特徴において、表示制御部が、リンク情報を、リンク先が設定されていない一般情報と区別して表示することを要旨とする。
【００２０】
本発明の第６の特徴は、本発明の第１の特徴において、ページの表示方法を設定する表示方法設定部（表示方法設定部１６）を表示装置が備えることを要旨とする。
【００２１】
本発明の第７の特徴は、本発明の第１の特徴において、エリアが、第１階層エリアと、第１階層エリアに対応付けられる第２階層エリアとを含むことを要旨とする。
【００２２】
本発明の第８の特徴は、リンク先が設定されている複数のリンク情報を含み、複数のエリアに区分けされるページを所定の表示領域上に表示するステップと、エリア切替信号に基づいて、ユーザが選択可能な状態にあるエリアであるアクティブエリアを切替えるステップと、リンク情報切替信号に基づいて、アクティブエリア内でユーザが選択可能な状態にあるリンク情報であるアクティブリンク情報を切替えるステップとを表示プログラムがコンピュータに実行させることを要旨とする。
【００２３】
本発明の第９の特徴は、ページ内におけるリンク情報の属性に基づいて、ページを複数の前記エリアに区分けするステップを表示プログラムがコンピュータに実行させることを要旨とする。
【発明の効果】
【００２４】
本発明によれば、マウス等のポインティングデバイスを備えていなくても、ページに含まれるリンク情報をユーザが容易に選択することが可能な表示装置、及び、表示プログラムを提供することができる。
【発明を実施するための最良の形態】
【００２５】
（本発明の一実施形態に係る表示装置の構成）
以下において、本発明の一実施形態に係る表示装置の構成について、図面を参照しながら説明する。
【００２６】
なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００２７】
図１は、本発明の一実施形態に係る表示装置を示す図である。なお、本実施形態において、表示装置は、放送局から配信される映像コンテンツを再生する機能と、Ｗｅｂページを表示する機能とを併せ持つＷｅｂＴＶである。
【００２８】
図１（ａ）及び図１（ｂ）に示すように、ＷｅｂＴＶは、ＷｅｂＴＶ本体部１０と、リモートコントローラ２０（以下、リモコン２０）とによって構成される。
【００２９】
図１（ａ）に示すように、ＷｅｂＴＶ本体部１０は、リモコン２０によって送信される信号を受信するリモコン側受信部１１と、映像コンテンツ及びＷｅｂページが表示される表示部１２とを有する。
【００３０】
ここで、Ｗｅｂページとは、ネットワーク側から受信する情報（例えば、ＨＴＭＬに従って生成されるＨＴＭＬ情報やＸＭＬに従って生成されるＸＭＬ情報）に基づいて表示されるページである。また、Ｗｅｂページは、他のＷｅｂページがリンク先として設定されているリンク情報を複数含み、複数のエリアに区分けされる。
【００３１】
なお、エリアは、ユーザが選択可能な状態（アクティブな状態）にあるエリアであるアクティブエリア（複数のエリアのうちのいずれか一つのエリア）と、ユーザが選択可能な状態にない他のエリアであるネガティブエリアとに分類される。以下において、アクティブエリアを切替可能なモードをエリアモードと称する。
【００３２】
また、リンク情報は、ユーザが選択可能な状態（アクティブな状態）にあるリンク情報であるアクティブリンク情報（複数のリンク情報のうちのいずれか一つのリンク情報）と、ユーザが選択可能な状態にない他のリンク情報であるネガティブリンク情報とに分類される。以下において、アクティブリンク情報を切替可能なモードをリンクモードと称する。
【００３３】
リモコン２０は、ＷｅｂＴＶ本体部１０に信号を送信する送信部２１と、Ｗｅｂページが表示されているときに、アクティブエリアやアクティブリンク情報を切替えるためのＷｅｂ用操作部２２と、放送局（又は、放送局から配信される映像コンテンツ）を切替えるためのＴＶ用操作部２３とを有する。
【００３４】
Ｗｅｂ用操作部２２は、上ボタン２２ａと、右ボタン２２ｂと、下ボタン２３ｃと、左ボタン２２ｄと、選択ボタン２２ｅとによって構成される。具体的には、上ボタン２２ａ〜左ボタン２２ｄは、エリアモードではアクティブエリアを切替えるために用いられ、リンクモードではアクティブリンク情報を切替えるために用いられる。また、選択ボタン２２ｅは、エリアモードではアクティブエリアを選択する（確定する）ために用いられ、リンクモードではアクティブリンク情報を選択する（確定する）ために用いられる。
【００３５】
なお、エリアモードでアクティブエリアが選択されると、アクティブエリアに含まれるリンク情報を選択するためのリンクモードにモードが切替わり、リンクモードでアクティブリンク情報が選択されると、そのアクティブリンク情報に対応するリンク先（他のＷｅｂページ）に表示部１２の表示内容が切替わる。
【００３６】
図２は、本発明の一実施形態に係るＷｅｂＴＶ本体部１０を示す機能ブロック図である。
【００３７】
図２に示すように、ＷｅｂＴＶ本体部１０は、リモコン側受信部１１と、表示部１２と、ネットワーク側受信部１３と、エリア切替部１４と、リンク切替部１５と、表示方法設定部１６と、表示制御部１７とを有する。
【００３８】
リモコン側受信部１１は、Ｗｅｂ用操作部２２やＴＶ用操作部２３がユーザによって操作されると、操作されたボタンに対応する信号をリモコン２０から受信する。
【００３９】
表示部１２上には、上述したように、映像コンテンツ及びＷｅｂページが表示される。
【００４０】
ネットワーク側受信部１３は、放送局から配信される映像コンテンツやＷｅｂページを表示するための情報（例えば、ＨＴＭＬ情報やＸＭＬ情報）を受信する。
【００４１】
エリア切替部１４は、リモコン２０から受信した信号（エリア切替え信号）に応じて、アクティブエリアを切替えるためのエリア切替指示を表示制御部１７に出力する。例えば、エリア切替部１４は、エリアモードで上ボタン２２ａに対応するエリア切替信号を受信した場合には、アクティブな状態にあるエリアの上のエリアをアクティブエリアとするためのエリア切替指示を出力し、エリアモードで下ボタン２３ｃに対応するエリア切替信号を受信した場合には、アクティブな状態にあるエリアの下のエリアをアクティブエリアとするためのエリア切替指示を出力する。
【００４２】
また、エリア切替部１４は、エリアモードで選択ボタン２２ｅに対応するモード切替信号を受信した場合には、アクティブエリアに含まれるリンク情報を選択するためのリンクモードにモードを切替えるためのモード切替指示を表示制御部１７に出力する。
【００４３】
リンク切替部１５は、リモコン２０から受信した信号（リンク情報切替信号）に応じて、アクティブリンク情報を切替えるためのリンク情報切替指示を表示制御部１７に出力する。例えば、エリア切替部１４は、リンクモードで上ボタン２２ａに対応するリンク情報切替信号を受信した場合には、アクティブな状態にあるリンク情報の上のリンク情報をアクティブリンク情報とするためのリンク情報切替指示を出力し、リンクモードで下ボタン２３ｃに対応するリンク情報切替信号を受信した場合には、アクティブな状態にあるリンク情報の下のリンク情報をアクティブリンク情報とするためのリンク情報切替指示を出力する。
【００４４】
また、リンク切替部１５は、リンクモードで選択ボタン２２ｅに対応するＷｅｂページ切替信号を受信した場合には、アクティブリンク情報に対応するリンク先（Ｗｅｂページ）にＷｅｂページを切替えるためのＷｅｂページ切替指示を表示制御部１７に出力する。
【００４５】
表示方法設定部１６は、Ｗｅｂページの表示方法をユーザによって選択される条件に従って設定する。また、表示方法設定部１６は、設定したＷｅｂページの表示方法を表示制御部１７に通知する。なお、表示方法設定部１６は、Ｗｅｂページの表示方法に関する条件を選択肢としてユーザに提供し、ユーザによって選択される選択肢に基づいてＷｅｂページの表示方法を設定する。
【００４６】
具体的には、表示方法設定部１６は、ユーザによって選択されるサイズ、数、形状に基づいて、エリアのサイズ、エリアの数、エリアの形状を設定する。
【００４７】
また、表示方法設定部１６は、Ｗｅｂページを表示するための情報を受信した際における最初のモード（初期モード）を設定する。例えば、表示方法設定部１６は、ユーザによってエリアモードが初期モードとして選択された場合には、エリアモードを初期モードとして設定する。また、表示方法設定部１６は、ユーザによってリンクモードが初期モードとして選択された場合には、リンクモードを初期モードとして設定する。
【００４８】
さらに、表示方法設定部１６は、モードがエリアモードとなった際における最初のアクティブエリア（初期アクティブエリア）を設定する。例えば、表示方法設定部１６は、ユーザによって選択される条件（例えば、最も左方、かつ、最も上方）に合致するエリアを初期アクティブエリアとして設定する。
【００４９】
また、表示方法設定部１６は、モードがリンクモードとなった際における最初のアクティブリンク情報（初期アクティブリンク情報）を設定する。例えば、表示方法設定部１６は、ユーザによって選択される条件（例えば、最も上方）に合致するリンク情報を初期アクティブリンク情報として設定する。
【００５０】
さらに、表示方法設定部１６は、ユーザによって選択される表示方法をエリアやリンク情報の表示方法として設定する。例えば、表示方法設定部１６は、アクティブエリアの背景色が青、ネガティブエリアの背景色が白という表示方法が選択されると、アクティブエリアの背景色を青、ネガティブエリアの背景色を白に設定する。また、表示方法設定部１６は、アクティブリンク情報を太字で表示するという表示方法が選択されると、アクティブリンク情報をネガティブリンク情報よりも太字に設定する。さらに、表示方法設定部１６は、画像に対応するリンク情報のみを反転表示させるという表示方法が選択されると、画像に対応するリンク情報を反転表示させるように表示方法を設定する。
【００５１】
また、表示方法設定部１６は、ユーザによって選択される切替方法をアクティブエリアやアクティブリンク情報の切替方法として設定する。例えば、表示方法設定部１６は、アクティブエリアやアクティブリンク情報を切替える速度、エリア切替指示やリンク情報切替指示が連続して入力される場合に、アクティブエリアやアクティブリンク情報を切替える速度の加速度等を設定する。
【００５２】
表示制御部１７は、受信した映像コンテンツを表示部１２上に表示する。また、表示制御部１７は、受信した情報（Ｗｅｂページを表示するための情報）に基づいてＷｅｂページを表示部１２上に表示する。なお、表示制御部１７は、表示方法設定部１６から通知されるＷｅｂページの表示方法に従ってＷｅｂページを表示する。
【００５３】
具体的には、表示制御部１７は、Ｗｅｂページを表示するための情報に基づいて、Ｗｅｂページを複数のエリアに区分けして表示する。
【００５４】
また、表示制御部１７は、Ｗｅｂページを表示するための情報に基づいて、リンク情報を一般情報（他のＷｅｂページがリンク先として設定されていない情報）と異なる色で表示したり、リンク情報にのみアンダーラインを引いて表示したりすることによって、リンク情報を一般情報と区別して表示する。
【００５５】
例えば、表示制御部１７は、ＨＴＭＬ情報やＸＭＬ情報を受信した場合には、ＨＴＭＬ情報やＸＭＬ情報に含まれるタグ情報を解析することによって、リンク情報と一般情報とを識別する。また、表示制御部１７は、リンク情報に対応するタグ情報（色、フォント、アンダーラインの有無等）を書き換えることによって、リンク情報を一般情報と区別して表示する。
【００５６】
さらに、表示制御部１７は、アクティブエリアをネガティブエリアと異なる背景色で表示したり、アクティブエリアを太線で囲ったりして、アクティブエリアをネガティブエリアと区別して表示する。
【００５７】
また、表示制御部１７は、アクティブリンク情報をネガティブリンク情報と異なる色で表示したり、アクティブリンク情報を太字で表示したりして、アクティブリンク情報をネガティブリンク情報と区別して表示する。
【００５８】
さらに、表示制御部１７は、エリア切替部１４から入力されるエリア切替指示に基づいてアクティブエリアを切替え、リンク切替部１５から入力されるリンク情報切替指示に基づいてアクティブリンク情報を切替える。
【００５９】
また、表示制御部１７は、エリア切替部１４から入力されるモード切替指示に基づいて、エリアモードからリンクモードにモードを切替えるとともに、モードを切替えたことをエリア切替部１４及びリンク切替部１５に通知する。
【００６０】
さらに、表示制御部１７は、リンク切替部１５から入力されるＷｅｂページ切替指示に基づいて、アクティブリンク情報に対応するＷｅｂページを表示するための情報をネットワーク側に要求し、ネットワーク側から受信した情報に基づいて、アクティブリンク情報に対応するＷｅｂページを表示する。
【００６１】
例えば、表示制御部１７は、ＨＴＭＬ情報やＸＭＬ情報に基づいてＷｅｂページが生成される場合には、アクティブリンク情報のタグ情報を解析することによって、アクティブリンク情報に対応するＷｅｂページのＵＲＬ等を特定する。また、表示制御部１７は、特定したＵＲＬ等に基づいて、アクティブリンク情報に対応するＷｅｂページを表示するための情報をネットワーク側に要求する。
【００６２】
図３乃至図５は、本発明の一実施形態に係る表示部１２上に表示されるＷｅｂページの一例を示す図である。なお、図３及び図４は、上述したエリアモードで表示されるＷｅｂページの一例を示す図であり、図５は、上述したリンクモードで表示されるＷｅｂページの一例を示す図である。
【００６３】
図３に示すように、Ｗｅｂページ３０は、他のＷｅｂページ３０がリンク先として設定されているリンク情報（“文字ａ”〜“文字ｉ”及び“写真ａ”〜“写真ｄ”）を含み、複数のエリア（エリア１〜エリア６）に区分けされる。また、Ｗｅｂページ３０のサイズは、表示部１２のサイズよりも大きいため、表示部１２上には、Ｗｅｂページ３０の一部（エリア１〜エリア４）のみが表示される（エリア５及びエリア６は、表示部１２上に表示されない）。
【００６４】
なお、表示部１２上には、表示部１２上に表示されていないＷｅｂページ３０の部分（エリア５及びエリア６）があり、Ｗｅｂページ３０をスクロールさせることが可能であることを示すスクロールバー１２ａが表示される。また、表示部１２上には、各エリアの境界線が表示される。
【００６５】
ここで、表示制御部１７は、受信したＨＴＭＬ情報に基づいて、Ｗｅｂページ３０を表示部１２上に表示する。また、表示制御部１７は、上述したように、Ｗｅｂページ３０を複数のエリア（エリア１〜エリア６）に区分けして表示する。
【００６６】
また、表示制御部１７は、複数のエリアのうちのいずれか一つのエリア（図３では、エリア１）をアクティブエリアとして表示し、他のエリア（エリア２〜エリア４）をネガティブエリアとして表示する。なお、表示制御部１７は、上述したように、アクティブエリアをネガティブエリアと区別して表示する。
【００６７】
表示制御部１７は、図３に示す状態（エリアモード）において、上ボタン２２ａ〜左ボタン２２ｄに対応するエリア切替信号をリモコン２０から受信すると、エリア切替部１４から入力されるエリア切替指示に基づいてアクティブエリアを切替える。
【００６８】
例えば、表示制御部１７は、図３に示す状態（エリアモード）において、右ボタン２２ｂに対応するエリア切替信号を受信すると、入力されるエリア切替指示に基づいてアクティブエリアをエリア１からエリア２に切替え、さらに、下ボタン２３ｃに対応するエリア切替信号を受信すると、入力されるエリア切替指示に基づいてアクティブエリアをエリア２からエリア４に切替える（図４を参照）。
【００６９】
表示制御部１７は、図４に示す状態（エリアモード）において、下ボタン２３ｃに対応するエリア切替信号を受信すると、入力されるエリア切替指示に基づいてアクティブエリアをエリア４からエリア６に切替える。このとき、表示制御部１７は、Ｗｅｂページ３０を上方向にスクロールさせることによって、表示部１２上にエリア３〜エリア６を表示する。なお、エリア１及びエリア２は、表示部１２上に表示される対象から外される。
【００７０】
また、表示制御部１７は、エリア６がアクティブエリアである場合に、選択ボタン２２ｅに対応するモード切替信号をリモコン２０から受信すると、入力されるモード切替指示に基づいてエリアモードからリンクモードにモードを切替える（図５を参照）。
【００７１】
図５に示すように、表示制御部１７は、アクティブリンク情報をネガティブリンク情報と異なる色で表示したり、アクティブリンク情報を太字で表示したりして、アクティブリンク情報（図５では、“文字ｇ”）をネガティブリンク情報（図５では、“文字ｈ”及び“写真ｄ”）と区別して表示する。
【００７２】
また、表示制御部１７は、図５に示す状態（リンクモード）において、選択ボタン２２ｅに対応するＷｅｂページ切替信号をリモコン２０から受信すると、入力されるＷｅｂページ切替指示に基づいて、“文字ｇ”に対応するＷｅｂページ３０に表示部１２の表示内容を切替える。
【００７３】
具体的には、表示制御部１７は、“文字ｇ”に対応するＷｅｂページ３０のＵＲＬ等に基づいて、ネットワーク側にＷｅｂページ３０を表示するための情報を要求するとともに、ネットワーク側から受信する情報に基づいて、“文字ｇ”に対応するＷｅｂページ３０を表示する。
【００７４】
（本発明の一実施形態に係る表示装置の作用及び効果）
本発明の一実施形態に係る表示装置（ＷｅｂＴＶ本体部１０及びリモコン２０）によれば、エリア切替部１４及びリンク切替部１５が、リモコン２０から受信した信号に応じて、エリア切替指示及びリンク情報切替指示を出力し、表示制御部１７が、エリア切替部１４から入力されるエリア切替指示に基づいてアクティブエリアを切替え、リンク切替部１５から入力されるリンク情報切替指示に基づいてアクティブリンク情報を切替える。
【００７５】
従って、ユーザは、エリアモードでリモコン２０を操作し、アクティブエリアを切替えることによって、Ｗｅｂページ３０をエリア毎に閲覧しながら、目的とするリンク情報を探すことができる。
【００７６】
また、Ｗｅｂページ３０のサイズが表示部１２のサイズよりも大きい場合であっても、表示制御部１７が、アクティブエリアを切替える際にＷｅｂページ３０をスクロールさせることにより（すなわち、エリア単位でＷｅｂページ３０をスクロールさせることにより）、ユーザは、Ｗｅｂページ３０を容易にスクロールさせることができる。
【００７７】
さらに、ユーザは、リンクモードでリモコン２０を操作し、アクティブエリア内においてアクティブリンク情報を切替えることによって、目的とするリンク情報をＷｅｂページ３０全体から選択する場合に比べて、目的とするリンク情報を容易に選択することができる。
【００７８】
すなわち、ユーザは、マウス等のポインティングデバイスを用いなくても、目的とするリンク情報を容易に選択することができる。
【００７９】
また、表示制御部１７が、アクティブエリアと、アクティブエリア以外のエリア（ネガティブエリア）とを区別して表示することにより、ユーザは、どのエリアが選択可能な状態にあるかを容易に認識することができ、目的とするリンク情報を容易に探すことができる。
【００８０】
さらに、表示制御部１７が、アクティブリンク情報と、アクティブリンク情報以外のリンク情報（ネガティブリンク情報）とを区別して表示することにより、ユーザは、どのリンク情報が選択可能な状態にあるかを容易に認識することができる。
【００８１】
また、表示制御部１７が、他のＷｅｂページ３０がリンク先として設定されているリンク情報と、他のＷｅｂページ３０がリンク先として設定されていない一般情報とを区別して表示することにより、ユーザは、どの情報にリンク先が設定されているかを容易に認識することができる。
【００８２】
さらに、表示方法設定部１６が、ユーザによって選択される条件に従って、Ｗｅｂページ３０の表示方法（アクティブエリアやアクティブリンク情報の表示方法、切替方法等）を設定することにより、ユーザは、自分の好みに合った表示方法を設定することができる。
【００８３】
（変更例１）
以下において、本発明の一変更例について、図面を参照しながら説明する。なお、以下では、上述した実施形態との相違点を主として説明する。
【００８４】
具体的には、上述した実施形態において、Ｗｅｂページは、表示方法設定部１６によって設定されるエリアの数に従って、複数のエリアに均等に区分けされるが、本変更例において、Ｗｅｂページは、リンク情報の属性に基づいて複数のエリアに区分けされる。
【００８５】
詳細に説明すると、表示制御部１７は、ネットワーク側から受信した情報に基づいて、Ｗｅｂページ内におけるリンク情報の属性を特定し、特定した属性に基づいてＷｅｂページ３０を複数のエリアに区分けする。
【００８６】
例えば、表示制御部１７は、ネットワーク側からＨＴＭＬ情報やＸＭＬ情報を受信した場合には、ＨＴＭＬ情報やＸＭＬ情報に含まれるタグ情報に基づいて、他のＷｅｂページ３０が設定されているリンク情報と、他のＷｅｂページ３０が設定されていない一般情報とを特定する。また、表示制御部１７は、リンク情報に対応するタグ情報に基づいて、リンク情報の属性（リンク情報の位置、リンク情報の種類、タグの種類等）を特定する。
【００８７】
ここで、表示制御部１７は、Ｗｅｂページ３０内における位置が近接しているリンク情報が一つのエリアに含まれるようにＷｅｂページ３０を区分けしたり、同じ種類（文字、画像、動画等）のリンク情報が一つのエリアに含まれるようにＷｅｂページ３０を区分けしたり、同じタグ（例えば、メニューリスト）によって定義されるリンク情報（メニューリストの各項目）が一つのエリアに含まれるようにＷｅｂページ３０を区分けしたりする。
【００８８】
図６は、本発明の変更例１に係る表示部１２上に表示されるＷｅｂページ３０の一例を示す図である。なお、図６では、“文字ａ”〜“文字ｄ”は、メニューリストａの各項目に対応するリンク情報であり、“文字ｅ”〜“文字ｇ”は、メニューリストａと異なるメニューリストｂの各項目に対応するリンク情報である。また、“写真ａ”〜“写真ｄ”は、画像に対応するリンク情報ある。さらに、“文字ｈ”〜“文字ｊ”は、Ｗｅｂページ３０内における位置が互いに近接するリンク情報であり、“文字ｋ”〜“文字ｎ”及び“写真ｄ”も、Ｗｅｂページ３０内における位置が互いに近接するリンク情報である。
【００８９】
図６に示すように、Ｗｅｂページ３０は、メニューリストａに対応するリンク情報（“文字ａ〜文字ｄ”）を含むエリア１と、メニューリストｂに対応するリンク情報（“文字ｅ〜文字ｇ”）を含むエリア２と、画像に対応するリンク情報（“写真ａ”〜“写真ｃ”）を含むエリア３と、Ｗｅｂページ３０内における位置が互いに近接するリンク情報（“文字ｈ”〜“文字ｊ”）を含むエリア４と、Ｗｅｂページ３０内における位置が互いに近接するリンク情報（“文字ｋ”〜“文字ｎ”及び“写真ｄ”）を含むエリア５とに区分けされる。
【００９０】
なお、“写真ｄ”は、画像に対応するリンク情報であるが、Ｗｅｂページ３０内における位置が、“写真ａ”〜“写真ｄ”から離れており、“文字ｋ”〜“文字ｎ”に近接しているため、“文字ｋ”〜“文字ｎ”と同じエリア（エリア５）に含まれる。
【００９１】
本変更例に係る表示装置（ＷｅｂＴＶ本体部１０及びリモコン２０）によれば、表示制御部１７が、Ｗｅｂページ３０内におけるリンク情報の属性に基づいて、Ｗｅｂページ３０を複数のエリアに区分けすることにより、Ｗｅｂページ３０を効率的に複数のエリアに区分けして表示することができる。
【００９２】
（変更例２）
以下において、本発明の一変更例について、図面を参照しながら説明する。なお、以下では、上述した実施形態との相違点を主として説明する。
【００９３】
具体的には、上述した実施形態において、エリアは、一つの階層によって構成されるが、本変更例において、エリアは、複数の階層によって構成される。
【００９４】
詳細に説明すると、表示制御部１７は、ネットワーク側から受信した情報に基づいて、Ｗｅｂページに含まれるリンク情報及び一般情報の属性を特定し、特定したリンク情報及び一般情報の属性に基づいて、Ｗｅｂページ３０を第１階層エリアと第２階層エリアとに区分けして表示する。
【００９５】
例えば、表示制御部１７は、ネットワーク側からＨＴＭＬ情報やＸＭＬ情報を受信した場合には、ＨＴＭＬ情報やＸＭＬ情報に含まれるタグ情報に基づいて、他のＷｅｂページ３０が設定されているリンク情報と、他のＷｅｂページ３０が設定されていない一般情報とを特定する。また、表示制御部１７は、リンク情報及び一般情報に対応するタグ情報に基づいて、第１階層エリアと第２階層エリアとにＷｅｂページ３０を区分けして表示する。
【００９６】
ここで、表示制御部１７は、特定のタグ情報（例えば、所定のジャンルの表題を示す“ｔｉｔｌｅ”）によって定義されるリンク情報又は一般情報が第１階層エリアに含まれるようにＷｅｂページ３０を区分けして表示し、特定のタグ情報によって定義されるリンク情報又は一般情報に関連付けられるリンク情報が第２階層エリアに含まれるようにＷｅｂページ３０を区分けして表示する。なお、表示制御部１７は、Ｗｅｂページ３０を複数の第１階層エリアに区分けして表示してもよく、Ｗｅｂページ３０を複数の第２階層エリアに区分けして表示してもよい。
【００９７】
図７は、本発明の変更例２に係る表示部１２上に表示されるＷｅｂページの一例を示す図である。なお、図７では、“文字ａ”、“文字ｄ”及び“文字ｆ”は、特定のタグ情報（例えば、所定のジャンルの表題を示す“ｔｉｔｌｅ”）によって定義される一般情報（リンク情報でもよい）である。
【００９８】
また、“文字ｂ”、“文字ｃ”、及び“写真ａ”は、“文字ａ”に関連付けられるリンク情報（“文字ａ”と同一のジャンルに属するリンク情報）であり、“文字ｅ”及び“写真ｂ”は、“文字ｄ”に関連付けられるリンク情報（“文字ｄ”と同一のジャンルに属するリンク情報）であり、“文字ｇ”〜“文字ｊ”及び“写真ｃ”は、“文字ｆ”に関連付けられるリンク情報（“文字ｆ”と同一のジャンルに属するリンク情報）である。さらに、“文字ｋ”〜“文字ｎ”は、“文字ａ”、“文字ｄ”及び“文字ｆ”とは無関係なリンク情報である。
【００９９】
図７に示すように、Ｗｅｂページ３０は、“文字ａ”、“文字ｄ”及び“文字ｆ”を含む第１階層エリアと、“文字ｂ”、“文字ｃ”、“写真ａ”、“文字ｅ”、“写真ｂ”、“文字ｇ”〜“文字ｊ”及び“写真ｃ”を含む第２階層エリアとに区分けされる。
【０１００】
なお、“文字ｋ”〜“文字ｎ”は、第１階層エリアに含まれてもよく、第２階層エリアに含まれてもよいが、本実施形態では、第１階層エリアに含まれる。
【０１０１】
また、第１階層エリアは、“文字ａ”を含む第１階層エリアａと、“文字ｄ”を含む第１階層エリアｂと、“文字ｆ”を含む第１階層エリアｃと、“文字ｋ”〜“文字ｎ”を含む第１階層エリアｄとによって構成される。すなわち、第１階層エリアは、Ｗｅｂページ３０内で飛び飛びに配置される。
【０１０２】
さらに、第２階層エリアは、“文字ｂ”、“文字ｃ”、及び“写真ａ”を含む第２階層エリアａと、“文字ｅ”及び“写真ｂ”を含む第２階層エリアｂと、“文字ｇ”〜“文字ｊ”及び“写真ｃ”を含む第２階層エリアｃとによって構成される。
【０１０３】
以下において、ユーザが選択可能な状態（アクティブな状態）にある第１階層エリアをアクティブ第１階層エリアと称し、ユーザが選択可能な状態（アクティブな状態）にある第２階層エリアをアクティブ第２階層エリアと称する。また、アクティブ第１階層エリアを選択可能なモードを第１階層エリアモードと称し、アクティブ第２階層エリアを選択可能なモードを第２階層エリアモードと称する。
【０１０４】
なお、表示制御部１７は、第１階層エリアモードで第１階層エリア（アクティブ第１階層エリア）が選択されることによって、第１階層エリアモードから第２階層エリアモード（又は、リンクモード）にモードを切替える。
【０１０５】
例えば、表示制御部１７は、第１階層エリアａがアクティブ第１階層エリアである場合に、上述した選択ボタン２２ｅに対応するモード切替信号をリモコン２０から受信すると、第１階層エリアモードから第２階層エリアモードにモードを切替える。但し、本実施形態では、第１階層エリアａに対応する第２階層エリアが第２階層エリアａのみであるため、表示制御部１７は、第２エリアモードにモードを切替えることなく、第２階層エリアａ内でリンク情報（“文字ｂ”、“文字ｃ”及び“写真ａ”）を選択可能なリンクモードにモードを直接切替える。
【０１０６】
なお、表示制御部１７は、第１階層エリアに関連付けられる第２階層エリアが複数である場合には、アクティブ第２階層エリアを選択するための第２階層エリアモードにモードを切替えてもよい。
【０１０７】
本変更例に係る表示装置（ＷｅｂＴＶ本体部１０及びリモコン２０）によれば、表示制御部１７が、複数の階層によって構成されるエリア（第１階層エリア及び第２階層エリア）に区分けしてＷｅｂページ３０を表示することにより、Ｗｅｂページ３０に含まれる情報（リンク情報や一般情報）を段階的に絞り込むことができる。また、ユーザは、リモコン２０を操作してアクティブ第１階層エリアを切替えることによって、Ｗｅｂページ３０全体を容易に閲覧することができる。
【０１０８】
（変更例３）
以下において、本発明の一変更例について、図面を参照しながら説明する。なお、以下では、上述した実施形態との相違点を主として説明する。
【０１０９】
具体的には、上述した実施形態において、表示装置は、放送局から配信される映像コンテンツを再生する機能及びＷｅｂページを表示する機能を有するＷｅｂＴＶであるが、本変更例において、表示装置は、Ｗｅｂページを表示する機能を有する携帯電話やＰＤＡ端末である。
【０１１０】
図８（ａ）は、本発明の変更例３に係る携帯電話４０を示す図であり、図８（ｂ）は、本発明の変更例３に係るＰＤＡ端末５０を示す図である。
【０１１１】
図８（ａ）に示すように、携帯電話４０は、上述した表示部１２に相当する表示部４１と、上述したＷｅｂ用操作部２２に相当するＷｅｂ用操作部４２と、相手先の電話番号等を入力するための電話用操作部４３とを有する。また、Ｗｅｂ用操作部４２は、上述した上ボタン２２ａ〜左ボタン２２ｄ及び選択ボタン２２ｅに相当する上ボタン４２ａ〜左ボタン４２ｄ及び選択ボタン４２ｅによって構成される。
【０１１２】
図８（ｂ）に示すように、ＰＤＡ端末５０は、上述した表示部１２に相当する表示部５１と、上述したＷｅｂ用操作部２２に相当するＷｅｂ用操作部５２と、データ等を入力するためのデータ入力部５３とを有する。また、Ｗｅｂ用操作部５２は、上述した上ボタン２２ａ〜左ボタン２２ｄ及び選択ボタン２２ｅに相当する上ボタン５２ａ〜左ボタン５２ｄ及び選択ボタン５２ｅによって構成される。
【０１１３】
（その他の変更例）
なお、上述した実施形態では、表示部１２上には、各エリアの境界線やスクロールバー１２ａが表示されるが、これに限定されるものではなく、各エリアの境界線やスクロールバー１２ａは表示されなくてもよい。
【０１１４】
また、上述した実施形態に係る表示部１２上では、Ｗｅｂページ３０に含まれる全てのリンク情報が一般情報と区別して表示されるが、これに限定されるものではなく、アクティブエリアに含まれるリンク情報のみが一般情報と区別して表示されてもよい。
【０１１５】
さらに、上述した実施形態において、Ｗｅｂ用操作部２２は、リモコン２０に設けられるが、これに限定されるものではなく、ＷｅｂＴＶ本体部１０に設けられてもよい。
【０１１６】
また、上述した実施形態において、複数のエリアに区分けして表示されるページは、ネットワーク側から受信する情報に基づいて表示されるＷｅｂページであるが、これに限定されるものではなく、リンク先が設定さているリンク情報を含むページであればよい。従って、本発明に係る表示装置は、電子辞書のように、予め記憶された情報に基づいてページを表示するものであってもよい。
【０１１７】
さらに、上述した実施形態において、リモコン２０は、アクティブエリアやアクティブリンク情報等を切替えるＷｅｂ用操作部２２を有するが、これに限定されるものではなく、Ｗｅｂ用操作部２２の機能をＴＶ用操作部２３に兼用させてもよい。例えば、エリアモードやリンクモードでは、ＴＶ用操作部２３は、放送局２を選択するためのボタンが上ボタン２２ａとして機能し、放送局６を選択するためのボタンが右ボタン２２ｂとして機能し、放送局８を選択するためのボタンが下ボタン２３ｃとして機能し、放送局４を選択するためのボタンが左ボタン２２ｄとして機能し、放送局５を選択するためのボタンが選択ボタン２２ｅとして機能するように構成されてもよい。
【０１１８】
また、上述した実施形態において、モードは、エリアモードからリンクモードに切替えられるが、これに限定されるものではなく、リンクモードからエリアモードにモード切替えるためのボタンをＷｅｂ用操作部２２が有することによって、リンクモードからエリアモードにモードが切替え可能であってもよい。
【図面の簡単な説明】
【０１１９】
【図１】本発明の一実施形態に係る表示装置を示す図である。
【図２】本発明の一実施形態に係るＷｅｂＴＶ本体部１０を示す機能ブロック図である。
【図３】本発明の一実施形態に係る表示部１２上に表示されるＷｅｂページの一例を示す図である（その１）。
【図４】本発明の一実施形態に係る表示部１２上に表示されるＷｅｂページの一例を示す図である（その２）。
【図５】本発明の一実施形態に係る表示部１２上に表示されるＷｅｂページの一例を示す図である（その３）。
【図６】本発明の一変更例に係る表示部１２上に表示されるＷｅｂページの一例を示す図である（その１）。
【図７】本発明の一変更例に係る表示部１２上に表示されるＷｅｂページの一例を示す図である（その２）。
【図８】本発明の一変更例に係る表示装置を示す図である。
【符号の説明】
【０１２０】
１０・・・ＷｅｂＴＶ本体部、１１・・・リモコン側受信部、１２・・・表示部、１２ａ・・・スクロールバー、１３・・・ネットワーク側受信部、１４・・・エリア切替部、１５・・・リンク切替部、１６・・・表示方法設定部、１７・・・表示制御部、２０・・・リモコン、２１・・・送信部、２２・・・Ｗｅｂ用操作部、２２ａ・・・上ボタン、２２ｂ・・・右ボタン、２２ｃ・・・下ボタン、２２ｄ・・・左ボタン、２２ｅ・・・選択ボタン、２３・・・ＴＶ用操作部、３０・・・Ｗｅｂページ、４０・・・携帯電話、４１・・・表示部、４２・・・Ｗｅｂ用操作部、４２ａ・・・上ボタン、４２ｂ・・・右ボタン、４２ｃ・・・下ボタン、４２ｄ・・・左ボタン、４２ｅ・・・選択ボタン、４３・・・電話用操作部、５０・・・ＰＤＡ端末、５１・・・表示部、５２・・・Ｗｅｂ用操作部、５２ａ・・・上ボタン、５２ｂ・・・右ボタン、５２ｃ・・・下ボタン、５２ｄ・・・左ボタン、５２ｅ・・・選択ボタン、５３・・・データ入力部
【図１】
2006155343.tif 000003
【図２】
2006155343.tif 000004
【図３】
2006155343.tif 000005
【図４】
2006155343.tif 000006
【図５】
2006155343.tif 000007
【図６】
2006155343.tif 000008
【図７】
2006155343.tif 000009
【図８】
2006155343.tif 000010